(57)【特許請求の範囲】
【請求項１】
扉１に固着されるケース２にラッチボルト６を収容し、固定枠体４側のロック孔５に係合
する方向に前記ラッチボルト６をバネ３によって摺動付勢し、前記ラッチボルト６の割溝
７に収容したロックレバー８を出没回転可能に前記ラッチボルト６に支持させ、前記ロッ
クレバー８を先端部が前記割溝７に没入する方向に前記バネ３によって回転付勢し、前記
ロックレバー８に操作部１１を設け、前記ラッチボルト６を解錠位置に後退摺動させたと
き、前記ロックレバー８の先端面８ａを前記ロック孔５の孔縁部５ａに当接させるように
構成され、前記ラッチボルト６の後退移動を規制するストッパー４０を前記ケース２の横
断方向に進退可能に前記ケース２の空洞部４１に収納し、前記ラッチボルト６の後退移動
を制止する位置および該制止を解除した位置において前記ストッパー４０を弾性部材によ
って係止保持するようにした解錠位置拘束型ラッチ装置において、
前記弾性部材をプラスチック製の前記ストッパー４０の基端面に一体形成した一対の弾性
アーム４２によって構成し、前記弾性アーム４２の自由端を前記空洞部４１の内壁面４８
に形成した誘導溝５８に係合させて前記誘導溝５８の内底面に圧接させてあり、
前記ラッチボルト６の基端部正面側に前記ラッチボルト６の摺動方向に長い逃げ溝４３を
形成し、前記ストッパー４０がケース２の前記空洞部４１の横断方向の一方の内壁面に当
接する移動規制解除位置に来たとき、前記逃げ溝４３に対面する制止突起４４を前記スト
ッパー４０の背面側に形成し、前記ストッパー４０が前記ケース２の前記空洞部４１の横
断方向の他方の内壁面に当接する移動規制位置に来たとき、ストッパー４０の前記制止突
起４４を前記逃げ溝４３に隣接する前記ラッチボルト６の基端面４５に対面させて前記ラ
ッチボルト６の後退摺動を制止するとともに、
前記ケース１の前記空洞部４１の正面壁部に操作窓孔４６を形成し、前記ストッパー４０
が前記移動規制位置と前記移動規制解除位置のいずれにあっても前記操作窓孔４６内に現
れる溝状の操作受部４７を前記ストッパー４０の正面側に形成し、前記操作窓孔４６を通
して操作部材を前記操作受部４７に挿入して前記ストッパー４０を前記弾性アーム４２の
保持力に抗して摺動させるものであり、
前記ストッパー４０の正面側には、前記ストッパー４０が前記移動規制位置にあるとき前
記操作窓孔４６内に位置する赤色の円形凹部５９を前記操作受部４７の一側に形成する一
方、前記ストッパー４０が前記移動規制解除位置にあるとき前記操作窓孔４６内に位置す
る青色の円形凹部６０を前記操作受部４７の他側に形成してあることを特徴とする解錠位
置拘束型ラッチ装置。
【発明の詳細な説明】
【技術分野】
【０００１】
本発明は電気機器収納ボックス等の固定枠体に対して扉を錠止するラッチ装置に関するも
のである。
【背景技術】
【０００２】
扉を固定枠体に対して錠止する従来のラッチ装置では、扉側に固着したケースにラッチボ
ルトを摺動可能に収容し、固定枠体側にロック孔を設け、該ロック孔に係合する方向にラ
ッチボルトをバネによって摺動付勢してあり、扉の前面側からレバーハンドルやノブを回
転操作することによって、ラッチボルトが解錠位置に後退摺動させられ、扉の開放操作は
、ラッチボルトを解錠位置に拘束した状態で行われる。
【０００３】
扉の高さ寸法が大きい場合には、扉を数箇所で錠止する必要があるが、最後のラッチ装置
を解錠操作するまでの間、それまでに解錠操作した複数のラッチ装置の全てにレバーハン
ドルやノブに手を掛けて、ラッチボルトを解錠位置に拘束して置くことは、一人では事実
上不可能である。
【０００４】
この使用上の不便性を改善するために、簡単な操作によってラッチボルトを解錠位置に拘
束保持できるようにした解錠位置拘束型ラッチ装置が提案されている（例えば特許文献１
参照）。
しかしながら、このラッチ装置では、ラッチボルトをアンロック位置に後退摺動させるた
めのロックレバーの操作部がケースの正面側に突出配置されているため、通行者の身体の
一部や他の物体の一部が該操作部に接触することによって、無意図的にロックレバーが駆
動され、ラッチボルトが後退摺動して扉の施錠が偶発的に解除されてしまうことがある。
【０００５】
また、正当権限者以外の者がラッチ装置を無権限解錠して扉を開放し、内部の電気機器等
に何等かの不正工作を施したとしても、扉を再閉鎖してラッチボルトを施錠位置に再設定
して立ち去ったときには、当該不正工作を早期に発見することができない。
【０００６】
【特許文献１】特許第２６２３２３０号公報
【発明の開示】
【発明が解決しようとする課題】
【０００７】
本発明が解決しようとする課題は、ラッチボルトが施錠位置にあるとき、ラッチボルトの
無意図的な後退摺動を的確に阻止できるようにしたストッパーを備えており、このストッ
パーによるラッチボルトの移動規制と移動規制の解除が的確に行える解錠位置拘束型ラッ
チ装置を提供することである。
【課題を解決するための手段】
【０００８】
本発明の主たる特徴は、扉１に固着されるケース２にラッチボルト６を収容し、固定枠体
４側のロック孔５に係合する方向に前記ラッチボルト６をバネ３によって摺動付勢し、前
記ラッチボルト６の割溝７に収容したロックレバー８を出没回転可能に前記ラッチボルト
６に支持させ、前記ロックレバー８を先端部が前記割溝７に没入する方向に前記バネ３に
よって回転付勢し、前記ロックレバー８に操作部１１を設け、前記ラッチボルト６を解錠
位置に後退摺動させたとき、前記ロックレバー８の先端面８ａを前記ロック孔５の孔縁部
５ａに当接させるように構成され、前記ラッチボルト６の後退移動を規制するストッパー
４０を前記ケース２の横断方向に進退可能に前記ケース２の空洞部４１に収納し、前記ラ
ッチボルト６の後退移動を制止する位置および該制止を解除した位置において前記ストッ
パー４０を弾性部材によって係止保持するようにした解錠位置拘束型ラッチ装置におい
て、
前記弾性部材をプラスチック製の前記ストッパー４０の基端面に一体形成した一対の弾性
アーム４２によって構成し、前記弾性アーム４２の自由端を前記空洞部４１の内壁面４８
に形成した誘導溝５８に係合させて前記誘導溝５８の内底面に圧接させてあり、
前記ラッチボルト６の基端部正面側に前記ラッチボルト６の摺動方向に長い逃げ溝４３を
形成し、前記ストッパー４０がケース２の前記空洞部４１の横断方向の一方の内壁面に当
接する移動規制解除位置に来たとき、前記逃げ溝４３に対面する制止突起４４を前記スト
ッパー４０の背面側に形成し、前記ストッパー４０が前記ケース２の前記空洞部４１の横
断方向の他方の内壁面に当接する移動規制位置に来たとき、ストッパー４０の前記制止突
起４４を前記逃げ溝４３に隣接する前記ラッチボルト６の基端面４５に対面させて前記ラ
ッチボルト６の後退摺動を制止するとともに、
前記ケース１の前記空洞部４１の正面壁部に操作窓孔４６を形成し、前記ストッパー４０
が前記移動規制位置と前記移動規制解除位置のいずれにあっても前記操作窓孔４６内に現
れる溝状の操作受部４７を前記ストッパー４０の正面側に形成し、前記操作窓孔４６を通
して操作部材を前記操作受部４７に挿入して前記ストッパー４０を前記弾性アーム４２の
保持力に抗して摺動させるものであり、
前記ストッパー４０の正面側には、前記ストッパー４０が前記移動規制位置にあるとき前
記操作窓孔４６内に位置する赤色の円形凹部５９を前記操作受部４７の一側に形成する一
方、前記ストッパー４０が前記移動規制解除位置にあるとき前記操作窓孔４６内に位置す
る青色の円形凹部６０を前記操作受部４７の他側に形成してあることである。
【０００９】
本発明の解錠位置拘束型ラッチ装置では、扉１が開放されているとき、ラッチボルト６は
先端部がケース２から突出し、ロックレバー８の先端部はラッチボルト６の割溝７内に収
納されている。ケース２の空洞部４１内には、ラッチボルト６の後退移動を規制するスト
ッパー４０が収納されており、該ストッパー４０をラッチボルトボルト６の移動方向と交
差する方向に進退させて、ラッチボルト６の後退移動を制止または該制止を解除するよう
にしてあるので、ロックレバー８の操作部１１がケース２の正面側に突出配置されていて
も、通行者の身体や他の物体の一部が該操作部に接触することによって、無意図的にロッ
クレバー８が駆動されて、ラッチボルト６が後退摺動し、固定枠体４に対する扉１の施錠
が偶発的に解除されてしまうことがない。
扉開放状態から扉１が閉鎖方向に回転操作されると、回転終端部においてラッチボルト６
は先端部のカム斜面１２において固定枠体４の開口縁部４ａまたは開口縁部４ａに固着し
たガイド板に当接する。扉１の閉鎖回転が更に続行されると、開口縁部４ａまたはガイド
板によってカム斜面１２を押圧されたラッチボルト６はバネ３の付勢に抗してケース２内
に一旦後退する。
【００１０】
扉１が全閉位置まで回転した瞬間にラッチボルト６はバネ３の摺動付勢によってケース２
から突出し、図５に示したように固定枠体４のロック孔５に係合して扉１を固定枠体４に
対し錠止する。この施錠位置においては、バネ３の回転付勢によってロックレバー８は先
端部がラッチボルト６の割溝７に格納された状態を保っている。
【００１１】
この扉１を解錠開放するには、図６に示したように操作部１１の先端リブ５５に掛けた指
を横に引くことによって、ロックレバー８と一緒にラッチボルト６をバネ３の付勢に抗し
て後退摺動させ、ラッチボルト６の先端部を固定枠体４のロック孔５から脱出させる。こ
のラッチボルト６の後退操作の終端において、操作部１１を斜めに押し下げて、ロックレ
バー８を回転させると、ロックレバー８の先端部がラッチボルト６の割溝７から突出する
。
【００１２】
この突出状態を保ちながら、指先の力を弱めると、ラッチボルト６がバネ３の付勢によっ
て若干前進するため、ロックレバー８の先端面８ａが固定枠体４のロック孔５の孔縁部５
ａに当接する。この当接によってラッチボルト６は先端部がロック孔５に再係合しない位
置、すなわち解錠位置に保持される。
【００１３】
扉１に複数個のラッチ装置が使用された場合、各ラッチ装置のラッチボルト６は順次この
ように拘束され、最後のラッチ装置を解錠操作して扉１を開放操作するまで、この拘束状
態が確保される。ケース２の指掛部５３の先端リブ５４とロックレバー８の操作部１１の
先端リブ５５に指先を掛けて扉１を開放すると、ラッチボルト６はバネ３の付勢によって
瞬時に前進し、先端部がケースから突出する。また、ロックレバー８は同じバネ３の付勢
によって復帰回転し、先端部がラッチボルト６の割溝７内に没入する。
【発明の効果】
【００１４】
本発明の解錠位置拘束型ラッチ装置は、ラッチボルト１６が施錠位置にあるとき、ラッチ
ボルト１６の無意図的な後退摺動を的確に阻止するためのプラスチック製のストッパー４
０を備えており、ケース２の空洞部４１に収納されたストッパー４０の基端面に一対の弾
性アーム４２を一体形成し、弾性アーム４２の自由端を空洞部４１の内壁面４８に形成し
た誘導溝５８に係合させて誘導溝５８の内底面に圧接させてあり、
ラッチボルト６の基端部正面側に摺動方向に長い逃げ溝４３を形成し、ストッパー４０が
前記空洞部４１の横断方向の一方の内壁面に当接する移動規制解除位置に来たとき、逃げ
溝４３に対面する制止突起４４をストッパー４０の背面側に形成し、ストッパー４０が前
記空洞部４１の横断方向の他方の内壁面に当接する移動規制位置に来たとき、前記制止突
起４４を逃げ溝４３に隣接するラッチボルト６の基端面４５に対面させてラッチボルト６
の後退摺動を制止するとともに、
前記空洞部４１の正面壁部に操作窓孔４６を形成し、ストッパー４０が前記移動規制位置
と前記移動規制解除位置のいずれにあっても操作窓孔４６内に現れる溝状の操作受部４７
をストッパー４０の正面側に形成し、前記ストッパー４０の正面側にはさらに、ストッパ
ー４０が前記移動規制位置にあるとき操作窓孔４６内に位置する赤色の円形凹部５９を操
作受部４７の一側に形成する一方、ストッパー４０が前記移動規制解除位置にあるとき操
作窓孔４６内に位置する青色の円形凹部６０を操作受部４７の他側に形成してあるため、
ストッパー４０によるラッチボルト１６の移動規制と移動規制の解除が的確に行える。
【実施例】
【００１５】
図示の実施例では、カム斜面１２を設けたラッチボルト６の先端部は、箱形ケース２の左
側面壁部１３の開口部１４から出没する。ラッチボルト６の摺動付勢とロックレバー８の
回転付勢に兼用されるバネ３は圧縮コイルバネで構成され、バネ３の一端部はロックレバ
ー８の基端部右側面の円錐台状のバネ受部９に嵌められ、バネ３の他端部はケース２の
右側面壁部１６の略円錐台状のバネ受部１０に嵌められている。ロックレバー８に一体成
形された板状の操作部１１はケース２の正面壁部１７の案内スロット１８から突出してい
る。
【００１６】
ロックレバー８の基端部の上下側面には、断面半円形状の軸部２１が操作部１１の延長上
に突設されている。ラッチボルト６の中間部前面には、受溝７の底面７ａより前方に位置
させて断面Ｕ字状の軸受溝２２が設けられている。ロックレバー８の前記軸部２１が該軸
受溝２２に嵌め込まれているため、ロックレバー８はラッチボルト６と一体的に進退移動
し、かつ、ラッチボルト６に対して回転可能に支持されている。
【００１７】
操作部１１の中間部の上下側面には、断面円弧形状の停止突起２３が突設され、各停止突
起２３はケース２の壁部２４の内面肩部２５に係合することによって、ロックレバー８の
軸部２１がラッチボルト６の軸受溝２２から脱出するのを阻止している。
【００１８】
図７に示したようにロックレバー８の先端部がラッチボルト６の割溝７に没入している時
には、ロックレバー８側のバネ受部９の着力点がケース２側のバネ受部１０の着力点とロ
ックレバー８の軸部２１の中心を結ぶ直線に関して前面側に位置しているため、バネ３の
弾発力による回転付勢は、ロックレバー８の先端部の没入状態を維持する方向に働いてい
る。
【００１９】
図８に示したようにロックレバー８の先端部がラッチボルト６の割溝７から突出している
時には、ロックレバー８側のバネ受部９の着力点がケース２側のバネ受部１０の着力点と
ロックレバー８の軸部２１の中心を結ぶ直線上にあるか、該直線に関して後面側に位置し
ているため、バネ３の弾発力による回転付勢は、ロックレバー８の先端部の突出状態を維
持する方向に働いている。この突出状態では、ロックレバー８の先端部は、ケース２の一
段後退した正面壁部分１７ａの後面に当接している。
【００２０】
すなわち、バネ３はいわゆるデッドポイント機構のバネとして機能しているのであり、ラ
ッチボルト６を突出方向に摺動付勢すると共に、着力点の移動に対応してロックレバー８
を没入方向または突出方向に回転付勢している。バネ３はラッチボルト６の貫通孔３７に
挿入されている。
【００２１】
上記実施例では、ケース２は半割り状態にプラスチック成形され、一方の半分２ａと他方
の半分２ｂは背面部の連結帯板部１５で連結されている。上半分２ａと下半分２ｂの一方
の接合端面には連結帯板部１５から最も遠い位置に接合用凹部２８が形成され、他方には
同様の位置に接合用突起２９が形成されている。連結帯板部１５で折り曲げられて閉じ合
わされた上半分ａと下半分２ｂは、前記接合用凹部２８と突起２９の係合によって閉合状
態に保持される。
【００２２】
ケース２側のバネ受部１０も２分割されて構成されている。ラッチボルト６の側面にはガ
イド溝３０が形成され、ケース２の壁部２４と壁部２６には、該ガイド溝３０に係合する
ガイド突条３１を左右方向に設けてある。
ケース２の壁部２４と壁部２６の中間部には、前面側に向かって上り傾斜の取付板部３２
と取付板部３３を切り起こしてあり、各取付板部３２，３３の先端部には階段状の係止突
起３４，３５を設けてある。扉１の受孔３６に対してケース２を前面側から挿入する時、
上下の取付板部３２，３３は後端側の根元部を中心に内側に若干弾性変形し、ケース２の
正面壁部１７が扉１の前面に当接した時、取付板部３２，３３が弾性復元し、先端部の係
止突起３４，３５は扉１の後面に係合し、ケース２の抜脱を阻止する。
【００２３】
上記実施例においてストッパー４０はプラスチック製の平板状であり、先端側の側面部に
は、ガイド溝５６が形成されている。ケース２の空洞部４１の前記内壁面４８に対面する
内壁面には、ガイド溝５６に係合するガイド突起５７が形成されている。ストッパー４０
の基端面に一体形成された一対の弾性アームは、ストッパー４０を定位置に停止保持する
ための弾性部材４２を構成するものであり、弾性アーム４２は前記内壁面４８に形成され
た誘導溝５８に嵌め込まれている。そのため、ストッパー４０は正面方向と背面方向のい
ずれにも妄動せず、ロックボルト６の進退方向と直角方向にのみ摺動するようになってい
る。ストッパー４０の基端面４０ａは空洞部４１の内壁面４８に当接している。
【００２４】
ロックバルトボルト６の基端部正面側に突設された逃げ溝４３は、ロックボルト６の移動
方向と平行に２個形成されており、これに対応してストッパー４０の背面側に形成された
制止突起４４も２個平行に配置されている。図１１に示したように制止突起４４の端面が
ロックボルト６の基端面４５に当接することによって、ロックボルト６は後退摺動を阻止
される。
【００２５】
制止突起４４が逃げ溝４３に対面する位置までストッパー４０を弾性部材４２の保持力
に抗して摺動させると、ロックボルト６は後退摺動可能な状態に設定される。
ストッパー４０がロックボルト６の移動規制位置にあるときには、ストッパー上面の赤色
を付した円形凹部５９が操作窓孔４６内に位置している。反対に、ストッパー４０がロッ
クボルト６の移動規制を解除した位置にあるときには、ストッパー上面の青色を付した円
形凹部６０が操作窓孔４６内に位置している。
【００２６】
ストッパー４０の操作部材としてはドライバーの先端部等が適宜選択され、ストッパー４
０の上面部には、前記円形凹部５９，６０の中間位置に溝状の操作受部４７が設けられて
いる。操作受部４７は、ストッパー４０が移動規制または規制解除のどちらの位置にあっ
ても、操作窓孔４６内に現れている。
【００２７】
ケース２の正面鍔部に形成した隆起部４９の貫通孔５０と、ロックレバー８の操作部１１
の貫通孔５１に封印部材５２を挿通するようにしたので、ロックボルト６を後退移動させ
て扉１の施錠を解除するには、前記封印部材５２を破断してロックレバー８を操作可能な
状態にしなければならない。そのため、この封印部材５２の状況を観察することによって
、内部機器等への不正工作の有無を判断することができ、不正工作の早期発見によって、
所要の対策措置を的確に講じることができる。封印部材５２が適用される隆起部４９は、
前記案内スロット１８の片側に形成されている。
ケース２の基端部正面に突設した指掛部５３は、操作窓孔４６に隣接した部位に突設され
ている。ロックレバー８の操作部１１の外向きに反り返った先端リブ５４と、指掛部５３
の外側に反り返った先端リブ５５は、複数の波状に形成されて指先との摩擦を高めるよう
にしてあり、ロックレバー８の回転操作に引き続く扉１の開放操作が充分は掴み力を作用
させて簡便に行なわれる。
【図面の簡単な説明】
【００２８】
【図１】本発明の一実施例に係る解錠位置拘束型ラッチ装置においてラッチボルトの移動規制を実行した状態の正面図である。
【図２】図１のラッチ装置においてラッチボルトの移動規制を解除した状態の正面図である。
【図３】図１のラッチ装置の底面図である。
【図４】図１のラッチ装置の右側面図である。
【図５】図１のラッチ装置のロック状態の底面図である。
【図６】図１のラッチ装置のロック解除状態の底面図である。
【図７】図１のＡ−Ａ線断面図である。
【図８】図２のＢ−Ｂ線断面図である。
【図９】図１のＣ−Ｃ線断面図であり、ストッパーはラッチボルトを移動規制する位置にある。
【図１０】図２のＤ−Ｄ線断面図であり、ストッパーはラッチボルトの移動規制を解除した位置にある。
【図１１】ラッチボルトとストッパーの関係位置を示す平面図である。
【符号の説明】
【００２９】
１    扉
２    ケース
３    ラッチボルトとロックレバーの付勢用バネ
４    固定枠体
５    固定枠体側のロック孔
５ａ  固定枠体のロック孔の孔縁部
５ｂ  固定枠体のロック孔の内壁面
６    ラッチボルト
７    ラッチボルトの割溝
８    ロックレバー
８ａ  ロックレバーの先端面
９    ロックレバー側のバネ受部
１０  ケース側のバネ受部
１１  ロックレバーの操作部
１２  ラッチボルトのカム斜面
２１  ロックレバーの軸部
２２  ラッチボルトの軸受溝
２３  ロックレバーの停止突起
４０  ストッパー
４１  空洞部
４２  弾性部材
４３  逃げ溝
４４  制止突起
４５  ラッチボルトの基端面
４６  操作窓孔
４７  操作受部
４８  空洞部の内壁面
４９  ケースの隆起部
５０  隆起部の貫通孔
５１  操作部の貫通孔
５２  封印部材
５３  指掛部
５４  操作部の先端リブ
５５  指掛部の先端リブ
【図１】
0003929059.tif 000002
【図２】
0003929059.tif 000003
【図３】
0003929059.tif 000004
【図４】
0003929059.tif 000005
【図５】
0003929059.tif 000006
【図６】
0003929059.tif 000007
【図７】
0003929059.tif 000008
【図８】
0003929059.tif 000009
【図９】
0003929059.tif 000010
【図１０】
0003929059.tif 000011
【図１１】
0003929059.tif 000012